(57)【要約】【課題】シンク長が異なるデジタル情報の記録部分の間のギャップ部分と、ＣＴＬ信号の記録部分とをデジタル情報再生時のＣ１訂正処理等の誤り訂正処理を行う際に必要な信号処理スペースとして利用できるようにする。【解決手段】２種類のシンク長が存在する記録フォーマットによりデジタル情報を磁気テープ８０に記録する装置であって、磁気テープ８０に第１のシンク長のデジタル情報と当該記録長よりも短い第２のシンク長のデジタル情報とを記録すると共に、第１のシンク長のデジタル情報の記録部分と当該記録長よりも短い第２のシンク長のデジタル情報との間に、当該デジタル情報の再生時の基準となるＣＴＬ信号を記録する記録手段を備えるものである。【選択図】        図１
2004312230.tif 000002
【特許請求の範囲】
【請求項１】
２種類の情報記録長が存在する記録フォーマットによりデジタル情報を情報記録媒体に記録する装置であって、
前記情報記録媒体に第１の情報記録長のデジタル情報と当該記録長よりも短い第２の情報記録長のデジタル情報とを記録する記録手段を備え、
前記記録手段は、
前記第１の情報記録長のデジタル情報の記録部分と第２の情報記録長のデジタル情報の記録部分との間に当該デジタル情報の再生時の基準となるサーボ制御信号を記録することを特徴とする情報記録装置。
【請求項２】
２種類の情報記録長が存在する記録フォーマットによりデジタル情報を情報記録媒体に記録する方法であって、
前記情報記録媒体に第１の情報記録長のデジタル情報と当該記録長よりも短い第２の情報記録長のデジタル情報とを記録すると共に、前記第１の情報記録長のデジタル情報の記録部分と第２の情報記録長のデジタル情報の記録部分との間に、当該デジタル情報の再生時の基準となるサーボ制御信号を記録することを特徴とする情報記録方法。
【請求項３】
２種類の情報記録長が存在する記録フォーマットを有した情報記録媒体からデジタル情報を再生する装置であって、
前記情報記録媒体から、第１の情報記録長のデジタル情報と当該記録長よりも短い第２の情報記録長のデジタル情報とを再生する再生手段を備え、
前記再生手段は、前記第１の情報記録長のデジタル情報の記録部分と前記第２の情報記録長のデジタル情報の記録部分との間から、当該デジタル情報の再生時の基準となるサーボ制御信号を再生することを特徴とする情報再生装置。
【請求項４】
前記再生手段により再生された第１の情報記録長のデジタル情報と第２の情報記録長のデジタル情報とを順次誤り訂正処理する訂正処理手段を更に備えることを特徴とする請求項３に記載の情報再生装置。
【請求項５】
２種類の情報記録長が存在する記録フォーマットを有した情報記録媒体からデジタル情報を再生する方法であって、
前記情報記録媒体から、第１の情報記録長のデジタル情報と当該記録長よりも短い第２の情報記録長のデジタル情報とを再生すると共に、前記第１の情報記録長のデジタル情報の記録部分と第２の情報記録長のデジタル情報の記録部分との間から、当該デジタル情報の再生時の基準となるサーボ制御信号を再生することを特徴とする情報再生方法。
【請求項６】
再生された前記第１の情報記録長のデジタル情報と前記第２の情報記録長のデジタル情報とを順次誤り訂正処理することを特徴とする請求項５に記載の情報再生方法。
【請求項７】
２種類の情報記録長が存在する記録フォーマットによりデジタル情報が記録可能な情報記録媒体において、
前記第１の情報記録長のデジタル情報と当該記録長よりも短い第２の情報記録長のデジタル情報との間に、当該デジタル情報の再生時の基準となるサーボ制御信号を記録するようになされることを特徴とする情報記録媒体。
【発明の詳細な説明】
【０００１】
【発明の属する技術分野】
本発明は、テープ記録媒体からデジタル情報を再生する家庭用及び業務用のビデオ記録再生装置に適用して好適な情報記録装置、情報記録方法、情報再生装置、情報再生方法及び情報記録媒体に関する。
【０００２】
詳しくは、２種類の情報記録長が存在する記録フォーマットによりデジタル情報を記録する記録手段を備え、第１の情報記録長のデジタル情報と当該記録長よりも短い第２の情報記録長のデジタル情報とを情報記録媒体に記録すると共に、第１の情報記録長のデジタル情報の記録部分と第２の情報記録長のデジタル情報との間に、当該デジタル情報の再生時の基準となるサーボ制御信号を記録して、第１の情報記録長のデジタル情報の記録部分と第２の情報記録長のデジタル情報の記録部分との間のギャップ部分と、サーボ制御信号の記録部分とをデジタル情報再生時のＣ１訂正処理等の誤り訂正処理を行う際に必要な信号処理スペースとして利用できるようにしたものである。
【０００３】
【従来の技術】
近年、家庭用及び業務用としてテープ記録媒体からビデオデータ及びオーディオデータ等のデジタル情報を再生するビデオ再生装置が使用される場合が多い。この種のビデオ再生装置には、磁気テープを巻回したカセットが装着される。この磁気テープに記録されたビデオデータ及びオーディオデータは、８個の再生用の磁気ヘッド（以下再生ヘッドという）により再生される。磁気テープには所定の記録フォーマット（以下、ＶＴＲフォーマットという）によりビデオデータ及びオーディオデータが記録される。
【０００４】
図１２は従来例に係るビデオシンク（Ｍ）及びオーディオシンク（Ｎ）混在のＶＴＲフットプリント例を示す図である。図１２に示す従来方式のＶＴＲフットプリント（ＥＣＣ構成およびデータ記録形式）は、図示しないヘリカル記録ヘッドによって記録されるフォーマットである。図１２に示すフットプリントの１２トラックにおいて、磁気テープ８０の上方には、ビデオシンク（ｓｙｎｃ：（Ｍ））が配置され、このビデオシンク（Ｍ）には、テーブル「０」〜テーブル「３５」までの、３６個のＥＣＣブロック（符号化単位のデータ）が記録される。
【０００５】
また、図１２に示す磁気テープ８０の下方にはビデオシンク（Ｍ）が配置され、このビデオシンク（Ｍ）には、テーブル「０」〜テーブル「３５」までの、３６個のＥＣＣブロック（符号化単位のデータ）が記録される。上下の各々のビデオシンク（Ｍ）の大きさは１２トラック×１８９バイトである。この上下のビデオシンク（Ｍ）の間にはオーディオシンク（Ｎ）が配置され、オーディオデータＤａが記録される。オーディオシンク（Ｎ）は、８つに区分され、１区分の大きさは４バイト×１２トラックである。
【０００６】
ここで下方のビデオシンク（Ｍ）側から、上方のビデオシンク（Ｍ）側へ記録ヘッドを走査するものとすると、第１区分にはオーディオデータＡ１，Ａ９，Ａ５が配置され、第２区分にはオーディオデータＡ２，Ａ１０，Ａ６が配置され、第３区分にはオーディオデータＡ３，Ａ１１，Ａ７が配置され、第４区分にはオーディオデータＡ４，Ａ１２，Ａ８が配置され、第５区分にはオーディオデータＡ５，Ａ１，Ａ９が配置され、第６区分にはオーディオデータＡ６，Ａ２，Ａ１０が配置され、第７区分にはオーディオデータＡ７，Ａ３，Ａ１１が配置され、第８区分にはオーディオデータＡ８，Ａ４，Ａ１２が各々配置される。
【０００７】
また、上方のビデオシンク（Ｍ）と第８区分目のオーディオシンク（Ｎ）との間にはギャップＧａｖが配置される。各区分のオーディオシンク間にはギャップＧａａが配置される。第４区分目のオーディオシンク（Ｎ）と第５区分目のオーディオシンク（Ｎ）との間にはサーボパイロット（サーボ制御信号：ＣＴＬ信号）が配置されている。このサーボパイロットと第４区分目のオーディオシンク（Ｎ）や、第５区分目のオーディオシンク（Ｎ）との間にはギャップＧｓ１、Ｇｓ２が配置されている。下方のビデオシンク（Ｍ）とサーボパイロットと間にはギャップＧｓａが配置され、この第１区分目のオーディオシンク（Ｎ）と下方のビデオシンク（Ｍ）との間にはギャップＧｖａが配置される。再生時に信号処理スペースを確保するためである。
【０００８】
ところで、上述したような２種類のシンク長が存在するＶＴＲフォーマットにおいては、エディットギャップとは別に、Ｃ１訂正処理を行う際に必要なビデオシンク（Ｍ）−オーディオシンク（Ｎ）間に、信号処理用のスペースを空ける必要がある。この原理を図１３に示している。図１３Ａ及びＢは、Ｃ１訂正回路のＭＮ切換え例を示すタイミングチャートである。
【０００９】
一般に、Ｃ１訂正処理にはシンク長に応じたディレーが必要となる。これはシンク長とそのＣ１パリティの長さに係数を掛けた形で表すことができる。実際には、Ｃ１訂正回路によってこの係数は異なるが、図１３Ａ及びＢに示す例ではシンク長とパリティに対する係数を両方を「２」としている。
【００１０】
図１３Ａは、ビデオシンク（Ｍ）からオーディオシンク（Ｎ）へ移行する部分のギャップＧｖａが十分長い場合である。ギャップＧｖａはビデオシンク（Ｍ）とオーディオシンク（Ｎ）との間に設定されたものである。ここでシンク長Ｍに対するパリティ計算に係るディレーをＰ１とし、シンク長Ｎに対するパリティ計算に係るディレーをＰ２とする。
【００１１】
このシンク長Ｎに対するＣ１訂正処理のディレーは、ビデオシンク（Ｍ）に対するものより短いが、ギャップＧｖａが十分長いためＣ１訂正回路の出力で、ビデオシンク（Ｍ）とオーディオシンク（Ｎ）がぶつかることはない。つまり、ビデオシンク（Ｍ）に係るＣ１訂正処理に（Ｍ＋Ｐ１）×２の処理時間を費やしても、ギャップＧｖａが十分長く設定されているため、ビデオシンク（Ｍ）に続いてオーディオシンク（Ｎ）がＣ１訂正回路に入力された時点から、（Ｍ＋Ｐ２）×２の経過時間後にオーディオシンク（Ｎ）に係るＣ１訂正処理を行うことができる。
【００１２】
図１３Ｂは、ビデオシンク（Ｍ）からオーディオシンク（Ｎ）へ移行する部分のギャップＧｖａ’がＧｖａに比べて短い場合である。ギャップＧｖａ’はビデオシンク（Ｍ）とオーディオシンク（Ｎ）との間に設定されたものである。このシンク長Ｎに対するＣ１訂正処理のディレーは、ビデオシンク（Ｍ）に対するものより短く、ギャップＧｖａ’が十分ではないため、Ｃ１訂正回路の出力で、ビデオシンク（Ｍ）とオーディオシンク（Ｎ）がぶつかっている。
【００１３】
なお、特許文献１には携帯用カメラ一体型デジタルビデオテープレコーダが開示されている。このビデオテープレコーダによれば、ビデオカメラで撮像した映像信号を帯域制限手段により帯域制限をし、その後、ビットレートリダクションエンコーダ回路により帯域圧縮処理した信号をテープ記録媒体に記録するようになされる。このように構成すると、ビデオテープレコーダの小型軽量化を図れると共に、消費電力の低減化を図ることができる。
【００１４】
【特許文献１】
特開平９−２４７７０９号公報（第２頁〜第４頁、図１）
【００１５】
【発明が解決しようとする課題】
ところで、従来方式のＶＴＲフットプリントによれば、次のような問題がある。
▲１▼  図１２に示した磁気テープ８０の記録トラックの真ん中にサーボパイロットが配置され、この前後に均等にオーディオシンク（Ｎ）が配置され、さらに、この前後に均等にビデオシンク（Ｍ）が配置されている。従って、磁気テープ８０で限られた有効トラック長に対して、波長を短くする要因となる。
【００１６】
▲２▼  また、図１３Ｂに示したビデオシンク（Ｍ）からオーディオシンク（Ｎ）へ移行する部分、つまり、（Ｍ＋Ｐ１）×２の処理時間を費やしてビデオシンク（Ｍ）に係るＣ１訂正処理を行われるが、ギャップＧｖａ’が十分長く設定されていないため、ビデオシンク（Ｍ）に続いてオーディオシンク（Ｎ）がＣ１訂正回路に入力された時点から、（Ｍ＋Ｐ２）×２の経過時間後にオーディオシンク（Ｎ）に係るＣ１訂正処理を行われてしまい、ビデオシンク（Ｍ）の後ろがオーディオシンク（Ｎ）に追い越されてデータが壊れてしまう。
【００１７】
▲３▼  特許文献１によれば、ビデオカメラで撮像した映像信号を帯域制限した後に、ビットレートリダクションエンコーダ回路により帯域圧縮処理した信号をテープ記録媒体に記録するようになされる。しかしながら、２種類のシンク長が存在するＶＴＲフォーマットを有した磁気テープからデジタル情報を再生しようとする場合であって、特許文献１の携帯用カメラ一体型デジタルビデオテープレコーダの機能をそのまま適用した場合に、▲１▼及び▲２▼の場合と同じような問題が生ずる。
【００１８】
そこで、この発明はこのような従来の課題を解決したものであって、情報記録長が異なるデジタル情報の記録部分の間のギャップ部分と、サーボ制御信号の記録部分とをデジタル情報再生時のＣ１訂正処理等の誤り訂正処理を行う際に必要な信号処理スペースとして利用できるようにした情報記録装置、情報記録方法、情報再生装置、情報再生方法及び情報記録媒体を提供することを目的とする。
【００１９】
【課題を解決するための手段】
上述した課題は、２種類の情報記録長が存在する記録フォーマットによりデジタル情報を情報記録媒体に記録する装置であって、情報記録媒体に第１の情報記録長のデジタル情報と当該記録長よりも短い第２の情報記録長のデジタル情報とを記録する記録手段を備え、この記録手段は、第１の情報記録長のデジタル情報の記録部分と第２の情報記録長のデジタル情報の記録部分との間に当該デジタル情報の再生時の基準となるサーボ制御信号を記録することを特徴とする情報記録装置によって解決される。
【００２０】
本発明に係る情報記録装置によれば、２種類の情報記録長が存在する記録フォーマットによりデジタル情報を記録する場合に、記録手段では、第１の情報記録長のデジタル情報と当該記録長よりも短い第２の情報記録長のデジタル情報とが情報記録媒体に記録されると共に、この第１の情報記録長のデジタル情報の記録部分と第２の情報記録長のデジタル情報の記録部分との間には、当該デジタル情報の再生時の基準となるサーボ制御信号が記録される。
【００２１】
従って、第１の情報記録長のデジタル情報の記録部分と第２の情報記録長のデジタル情報の記録部分との間のギャップ部分と、サーボ制御信号の記録部分とをデジタル情報再生時のＣ１訂正処理等の誤り訂正処理を行う際に必要な信号処理スペースとして利用することができる。
【００２２】
本発明に係る情報記録方法は、２種類の情報記録長が存在する記録フォーマットを有した情報記録媒体からデジタル情報を再生する方法であって、情報記録媒体から、第１の情報記録長のデジタル情報と当該記録長よりも短い第２の情報記録長のデジタル情報とを再生すると共に、第１の情報記録長のデジタル情報の記録部分と第２の情報記録長のデジタル情報の記録部分との間から、当該デジタル情報の再生時の基準となるサーボ制御信号を再生することを特徴とするものである。
【００２３】
本発明に係る情報記録方法によれば、第１の情報記録長のデジタル情報の記録部分と第２の情報記録長のデジタル情報の記録部分との間のギャップ部分と、サーボ制御信号の記録部分とをデジタル情報再生時のＣ１訂正処理等の誤り訂正処理を行う際に必要な信号処理スペースとして利用することができる。
【００２４】
本発明に係る情報再生装置は、２種類の情報記録長が存在する記録フォーマットを有した情報記録媒体からデジタル情報を再生する装置であって、情報記録媒体から、第１の情報記録長のデジタル情報と当該記録長よりも短い第２の情報記録長のデジタル情報とを再生する再生手段を備え、この再生手段は、第１の情報記録長のデジタル情報の記録部分と第２の情報記録長のデジタル情報の記録部分との間から、当該デジタル情報の再生時の基準となるサーボ制御信号を再生することを特徴とするものである。
【００２５】
本発明に係る情報再生装置によれば、２種類の情報記録長が存在する記録フォーマットを有した情報記録媒体からデジタル情報を再生する場合に、再生手段では、情報記録媒体から、第１の情報記録長のデジタル情報と当該記録長よりも短い第２の情報記録長のデジタル情報とが再生される。これと共に、この第１の情報記録長のデジタル情報の記録部分と当該記録長よりも短い第２の情報記録長のデジタル情報との間から、当該デジタル情報の再生時の基準となるサーボ制御信号が再生される。
【００２６】
従って、第１の情報記録長のデジタル情報の記録部分と第２の情報記録長のデジタル情報の記録部分との間のギャップ部分と、サーボ制御信号の記録部分とをＣ１訂正処理等の誤り訂正処理を行う際に必要な信号処理スペースとして利用することができる。これにより、第１の情報記録長のデジタル情報の誤り訂正処理が終了する前に、当該記録長よりも短い第２の情報記録長のデジタル情報の誤り訂正処理が開始されて情報処理が混入する事態を防止できる。
【００２７】
本発明に係る情報再生方法は２種類の情報記録長が存在する記録フォーマットを有した情報記録媒体からデジタル情報を再生する方法であって、この情報記録媒体から、第１の情報記録長のデジタル情報と当該記録長よりも短い第２の情報記録長のデジタル情報とを再生すると共に、第１の情報記録長のデジタル情報の記録部分と第２の情報記録長のデジタル情報の記録部分との間から、当該デジタル情報の再生時の基準となるサーボ制御信号を再生することを特徴とするものである。
【００２８】
本発明に係る情報再生方法によれば、２種類の情報記録長が存在する記録フォーマットを有した情報記録媒体からデジタル情報を再生する場合に、第１の情報記録長のデジタル情報の記録部分と第２の情報記録長のデジタル情報の記録部分との間のギャップ部分と、サーボ制御信号の記録部分とをＣ１訂正処理等の誤り訂正処理を行う際に必要な信号処理スペースとして利用することができる。
【００２９】
従って、第１の情報記録長のデジタル情報の誤り訂正処理が終了する前に、当該記録長よりも短い第２の情報記録長のデジタル情報の誤り訂正処理が開始されて情報処理が混入する事態を防止できる。
【００３０】
本発明に係る情報記録媒体は、２種類の情報記録長が存在する記録フォーマットによりデジタル情報が記録可能な情報記録媒体において、第１の情報記録長のデジタル情報と当該記録長よりも短い第２の情報記録長のデジタル情報との間に、当該デジタル情報の再生時の基準となるサーボ制御信号を記録するようになされることを特徴とするものである。
【００３１】
本発明に係る情報記録媒体によれば、第１の情報記録長のデジタル情報の記録部分と第２の情報記録長のデジタル情報の記録部分との間のギャップ部分と、サーボ制御信号の記録部分とをＣ１訂正処理等の誤り訂正処理を行う際に必要な信号処理スペースとして利用することができる。
【００３２】
従って、第１の情報記録長のデジタル情報の誤り訂正処理が終了する前に、当該記録長よりも短い第２の情報記録長のデジタル情報の誤り訂正処理が開始されて情報処理が混入する事態を防止できる。しかも、情報記録媒体において限られた有効トラック長に対して波長を最大限に長くすることができる。
【００３３】
【発明の実施の形態】
続いて、この発明に係る情報記録装置、情報記録方法、情報再生装置、情報再生方法及び情報記録媒体の一実施の形態について、図面を参照しながら説明をする。
【００３４】
［情報記録装置］
図１は、本発明に係る実施形態としての情報記録装置を応用したＶＴＲ１００の記録系の構成例を示すブロック図である。
【００３５】
この実施形態では、２種類の情報記録長が存在する記録フォーマットによりデジタル情報を記録する記録手段を備え、第１の情報記録長のデジタル情報と当該記録長よりも短い第２の情報記録長のデジタル情報とを情報記録媒体に記録すると共に、第１の情報記録長のデジタル情報の記録部分と当該記録長よりも短い第２の情報記録長のデジタル情報との間に、当該デジタル情報の再生時の基準となるサーボ制御信号を記録して、第１の情報記録長のデジタル情報の記録部分と第２の情報記録長のデジタル情報の記録部分との間のギャップ部分と、サーボ制御信号の記録部分とをデジタル情報再生時のＣ１訂正処理等の誤り訂正処理を行う際に必要な信号処理スペースとして利用できるようにしたものである。
【００３６】
図１に示すＶＴＲ（Ｖｉｄｅｏ  Ｔａｐｅ  Ｒｅｃｏｒｄｅｒ）は情報記録装置の一例であり、２種類の情報記録長（以下シンク長という）が存在する記録フォーマットによりデジタル情報を情報記録媒体の一例となる磁気テープ８０に記録する装置である。
【００３７】
図１に示すＶＴＲ１００はビデオ入力端子１１０及びオーディオ入力端子１３０を有している。ビデオ入力端子１１０にはビデオ圧縮回路１１が接続され、ビデオカメラ等から出力される記録ビデオ信号ＶＳｉｎを入力して圧縮するようになされる。例えば、ビデオ圧縮回路１１では記録ビデオ信号ＶＳｉｎが８×８画素の二次元ブロックに分割され、ＤＣＴ等のブロック符号化を用いたデータ圧縮処理が行われる。
【００３８】
上述のビデオ圧縮回路１１及びオーディオ入力端子１３０には、パリティ付加回路２１が接続され、圧縮処理後のビデオデータ（圧縮符号化データ）Ｄｖ及び、記録オーディオ信号ＡＳｉｎを入力し、この圧縮符号化データＤｖに対して、符号化単位毎に積符号を用いたエラー訂正符号化処理が行われると共に、記録オーディオ信号ＡＳｉｎに積符号を用いたエラー訂正符号化処理が行われる。
【００３９】
パリティ付加回路２１には記録手段４が接続され、磁気テープ８０に第１のシンク長のビデオデータ（デジタル情報）と当該記録長よりも短い第２のシンク長のオーディオデータ（デジタル情報）とを記録するようになされる。この記録手段４では、第１のシンク長のデジタル情報の記録部分と第２のシンク長のデジタル情報との間に、当該デジタル情報の再生時の基準となるサーボ制御信号（以下ＣＴＬ信号という）を記録するものである。
【００４０】
例えば、記録手段４は記録回路４０、ヘリカル記録ヘッド５０、ＣＬＴ発生器６０及びＣＴＬ記録ヘッド７０を有している。記録回路４０ではパリティ付加回路２１から出力されるビデオデータ（エラー訂正符号化データ）ＶＤｂを増幅し、増幅後のエラー訂正符号化データＶＤｂがヘリカル記録ヘッド５０に出力される。ヘリカル記録ヘッド５０はエラー訂正符号化データＶＤｂを磁気テープ８０の記録トラックに順次記録するようになされる。
【００４１】
ＣＴＬ発生器６０では、エラー訂正符号化データ（デジタル情報）ＶＤｂの再生時の基準となるＣＴＬ信号を発生し、このＣＴＬ信号を変調してＣＴＬ記録ヘッド７０に出力する。ＣＴＬ記録ヘッド７０はＣＴＬ発生器６０から出力される変調後のＣＴＬ信号を磁気テープ８０に記録するようになされる。
【００４２】
図２はパリティ付加回路２１の内部構成例を示すブロック図である。図２に示すパリティ付加回路２１は、ＳＤＲＡＭ（Ｓｙｎｃｈｒｏｎｏｕｓ  Ｄｙｎａｍｉｃ  ＲＡＭ）３１と、このＳＤＲＡＭ３１に対する書き込みおよび読み出しを行うためのインタフェースであるＳＤＲＡＭインタフェース３２とを有している。ＳＤＲＡＭ３１は、複数フィールドのビデオデータＤｖを記憶し得る容量を持っている。この場合、ＳＤＲＡＭ３１には、Ｒｃｈ及びＬｃｈの各フィールドについて、３６個のＥＣＣブロックに対応したメモリ空間が用意されている。
【００４３】
このＳＤＲＡＭインタフェース３２には、入力書き込みバッファ３３が接続され、上述のビデオ圧縮回路１１から供給されるビデオデータ（圧縮符号化データ）ＤｖをＳＤＲＡＭ３１に書き込むためのバッファとなされる。ＳＤＲＡＭインタフェース３２には、ビデオ用のＣ２読み出しバッファ３４が接続され、ＳＤＲＡＭ３１から読み出される３６個のＥＣＣブロックに対応したビデオデータＤｖを後述するビデオ用のＣ２エンコーダ３５に供給するためのバッファとなされる。
【００４４】
このＣ２読み出しバッファ３４には、Ｃ２エンコーダ３５が接続され、各フィールドについて、３６個のＥＣＣブロックにおけるＣ２パリティ（外符号パリティ）を演算するようになされる。Ｃ２エンコーダ３５は、Ｃ２パリティを演算する演算器を３６個有しており、上述した３６個のＥＣＣブロックにおけるＣ２パリティを並行して演算できるようになされる。そのため、Ｃ２読み出しバッファ３４からＣ２エンコーダ３５には、３６個のＥＣＣブロックに対応したビデオデータが並行して供給される。またその場合、各ＥＣＣブロックのビデオデータは、「０〜１１３」のシンクブロックのデータの順に供給される。
【００４５】
また、Ｃ２エンコーダ３５にはＣ２書き込みバッファ３６が接続され、各フィールドについて、Ｃ２エンコーダ３５で演算された３６個のＥＣＣブロックにおけるＣ２パリティをＳＤＲＡＭ３１に書き込むためのバッファとなされる。さらに、ＳＤＲＡＭインタフェース３２には出力読み出しバッファ３７が接続され、各フィールドについて、ＳＤＲＡＭ３１から読み出される、３６個のＥＣＣブロックに対応したビデオデータおよびＣ２パリティを出力するためのバッファとなされる。
【００４６】
ビデオデータＤｖはＣ１＝シンク順に入力される。これは、圧縮マクロブロックがシンク単位に詰め込まれているためである。このようにすると、シャトル再生時に１シンクヒットした場合に、対応するマクロブロックを更新することができる。従って、ビデオデータＤｖはＣ１方向で書き込み、その後、Ｃ２方向で読み出してＣ２訂正処理をするようになされる。これに対して、オーディオデータＤａはビデオデータＤｖと同じ処理を必要とせず、Ｃ２符号を積算してからＳＤＲＡＭ３１に書き込むようになされる。
【００４７】
例えば、ＳＤＲＡＭインタフェース３２には、オーディオ用の入力バッファ３１０が接続され、オーディオ入力端子１３０から供給される記録オーディオ信号ＡＳｉｎを入力するためのバッファとなされる。入力バッファ３１０にはオーディオ用のＣ２エンコーダ３１１が接続され、各フィールドについて、２４個のＥＣＣブロックにおけるＣ２パリティ（外符号パリティ）を演算するようになされる。このＣ２訂正処理では、記録オーディオ信号ＡＳｉｎをＣ２列順に入力する。Ｃ２エンコーダ３１１にはオーディオ用のＣ２書込みバッファ３１２が接続され、各フィールドについて、２４個のＥＣＣブロックに対応したオーディオデータＤａおよびＣ２パリティをＳＤＲＡＭインタフェース３２を介してＳＲＡＭ３１へ書き込むためのバッファとなされる。
【００４８】
更にまた、出力読み出しバッファ３７にはＳＹＮＣ／ＩＤ付加回路３８が接続され、出力読み出しバッファ３７から記録順に出力される各シンクブロックのビデオデータ（またはＣ２パリティ）のデータ列に、シンクデータおよびＩＤを付加するようになされる。このＳＹＮＣ／ＩＤ付加回路３８には、Ｃ１エンコーダ３９が接続され、シンクデータおよびＩＤが付加された各シンクブロックのビデオデータ及びオーディオデータＤａに対してＣ１パリティを演算して付加し、ビデオデータＤｖ＋オーディオデータＤａ＝記録データＶＤｂとして出力するようになされる。
【００４９】
図３は、図１に示したＶＴＲ１００に係る回転ドラム１４０の構成例を示す概念図である。図３に示す回転ドラム１４０には、ヘリカル記録ヘッド（磁気ヘッド）５０及び後述するヘリカル再生ヘッド５５が装備される。例えば、回転ドラム１４０には、１８０度の巻き付け角度をもって、磁気テープ８０が斜めに巻き付けられる。磁気テープ８０は、回転ドラム１４０にこのように巻き付けられた状態で、所定速度で走行するようにされる。
【００５０】
また、回転ドラム１４０には、４個の記録ヘッドＲＥＣＡ〜ＲＥＣＤが配置されていると共に、これら４個の記録ヘッドＲＥＣＡ〜ＲＥＣＤに対して１８０度の角間隔をもって４個の記録ヘッドＲＥＣＥ〜ＲＥＣＨが配置されている。さらに、回転ドラム１４０には、記録ヘッドＲＥＣＡ〜ＲＥＣＨに対応する８個の再生ヘッドＰＢＡ〜ＰＢＨが、記録ヘッドＲＥＣＡ〜ＲＥＣＨに対してそれぞれ９０度の角間隔をもって配置されている。つまり、ヘリカル記録ヘッド５０は８個の記録ヘッドＲＥＣＡ〜ＲＥＣＨから構成され、ヘリカル再生ヘッド５５は８個の再生ヘッドＰＢＡ〜ＰＢＨから構成される。
【００５１】
図４は、磁気テープ８０における記録フォーマット例を示す図である。図４に示す磁気テープ８０には、その長手方向に対して傾斜したトラックＴが順次形成される。この場合、互いに隣接する２本のトラックＴにおける記録アジマスは異なるようにされる。トラックＴの走査開始端側および走査終了端側の領域は、それぞれビデオデータ領域ＡＲＶＬ，ＡＲＶＵに割り当てられている。このビデオデータ領域ＡＲＶＬ，ＡＲＶＵには、上述したパリティ付加回路２１より出力されるビデオデータＤｖが記録される。また、トラックＴのビデオ領域ＡＲＶＬ，ＡＲＶＵに挟まれた領域は、オーディオデータ領域ＡＲＡに割り当てられている。この領域ＡＲＡにはオーディオデータＤａが記録される。
【００５２】
［情報記録媒体］
図５はビデオシンク（Ｍ）及びオーディオシンク（Ｎ）混在のＶＴＲフォーマット（フットプリント）例を示す図である。図６はビデオデータＤｖの積符号の構成例を示す図である。
【００５３】
この実施形態では、２種類のシンク長が存在する記録フォーマットによりデジタル情報が記録可能な磁気テープ８０において、第１のシンク長のデジタル情報の記録部分と当該記録長よりも短い第２のシンク長のデジタル情報の記録部分との間に、当該デジタル情報の再生時の基準となるＣＴＬ信号を記録するようになされる。また、この磁気テープ８０において、１フィールドのビデオデータＤｖは、各々の１２トラックに記録される。記録時および再生時には、１回のスキャンでは４個のヘッドによって４トラックが同時に走査され、従って、１２トラックは３回のスキャンで走査される。
【００５４】
図５に示すフットプリント（ＥＣＣ構成およびデータ記録形式）は、図３に示したヘリカル記録ヘッド５０によって記録されるフォーマットである。この例で、ビデオシンク（Ｍ）はトラックの前後に分かれており、この間にオーディオシンク（Ｎ）の領域が割り当てられる。最初のビデオシンク（Ｍ）とオーディオシンク（Ｎ）の間には、サーボパイロット信号が配置されている。エディットギャップの数自体は従来方式と同じであるが、ビデオシンク（Ｍ）からオーディオシンク（Ｎ）へ移行する部分にサーボパイロット信号が位置しているため、Ｃ１訂正処理を行う際に必要なビデオシンク（Ｍ）−オーディオシンク（Ｎ）間の信号処理スペースを十分に確保できるようになる。
【００５５】
図５に示すフットプリントの１２トラックにおいて、図３に示したビデオデータ領域ＡＲＶＵは上方のビデオシンク（ｓｙｎｃ：（Ｍ））に配置され、このビデオシンク（Ｍ）には、図５に示すようなブロック「０」〜テーブル「３５」までの、３６個のＥＣＣブロック（符号化単位のデータ）が記録される。
【００５６】
同様にして、図５に示す下方のビデオシンク（Ｍ）には、図４に示したビデオデータ領域ＡＲＶＬが配置され、このビデオシンク（Ｍ）には、図示しないブロック「０」〜ブロック「３５」までの、３６個のＥＣＣブロック（符号化単位のデータ）が記録される。上下の各々のビデオシンク（Ｍ）の大きさは１２トラック×１８９バイトである。この上下のビデオシンク（Ｍ）の間には、オーディオシンク（Ｎ）が配置され、オーディオデータＤａが記録される。オーディオシンク（Ｎ）は、８つに区分され、１区分の大きさは４バイト×１２トラックである。
【００５７】
ここで下方のビデオシンク（Ｍ）側から、上方のビデオシンク（Ｍ）側へ図３に示したようなヘリカル記録ヘッド５０を走査するものとすると、第１区分にはオーディオデータＡ１，Ａ９，Ａ５が配置され、第２区分にはオーディオデータＡ２，Ａ１０，Ａ６が配置され、第３区分にはオーディオデータＡ３，Ａ１１，Ａ７が配置され、第４区分にはオーディオデータＡ４，Ａ１２，Ａ８が配置され、第５区分にはオーディオデータＡ５，Ａ１，Ａ９が配置され、第６区分にはオーディオデータＡ６，Ａ２，Ａ１０が配置され、第７区分にはオーディオデータＡ７，Ａ３，Ａ１１が配置され、第８区分にはオーディオデータＡ８，Ａ４，Ａ１２が各々配置される。
【００５８】
また、上方のビデオシンク（Ｍ）と第８区分目のオーディオシンク（Ｎ）との間にはギャップＧａｖが配置される。各区分のオーディオシンク間にはギャップＧａａが配置される。第１区分目のオーディオシンク（Ｎ）と下方のビデオシンク（Ｍ）との間にはサーボパイロット（ＣＴＬ信号）が配置されている。下方のビデオシンク（Ｍ）とサーボパイロットと間にはギャップＧｓ１が配置され、このサーボパイロットと下方のビデオシンク（Ｍ）との間にはギャップＧｓ２が配置される。再生時に信号処理スペースを確保するためである。１個のＥＣＣブロックは、以下のように構成されている。
【００５９】
図６Ａ及びＢはビデオデータ及びオーディオデータの積符号に係るＥＣＣブロックの１シンクブロックの構成例を示す図である。図６Ａに示す２２６バイト×１１４バイトのデータ配列からなるビデオデータに対して、矢印ｂで示す外符号演算データ系列につき、各列のデータ（データ列）が例えば（１２６，１１４）リードソロモン符号によって符号化され、１２バイトのＣ２パリティ（外符号パリティ：ＯＵＴＥＲ）が生成される。
【００６０】
さらに、これらビデオデータおよびＣ２パリティに対して、図６Ａに示す矢印ａで示す内符号演算データ系列につき、各行のデータ（データ列）が例えば（２４２，２２６）リードソロモン符号によって符号化され、１６バイトのＣ１パリティ（内符号パリティ：ＩＮＮＥＲ）が生成される。また、各々のデータ行の先頭には、それぞれ２バイトの大きさを有するシンクデータおよびＩＤが配される。
【００６１】
図６Ａに示す先頭の２バイトはシンクデータである。続く、２バイトはＩＤである。このＩＤには、当該１シンクブロックが１２トラックのいずれに記録されたものかを識別するトラックＩＤ、当該１シンクブロックが一本の傾斜トラックに記録された複数のシンクブロックのいずれであるかを識別するシンクブロックＩＤが含まれる。また、１２トラック毎に１セグメントが構成され、「０〜３」のセグメント番号が順次繰り返し付与されるが、上述の２バイトのＩＤには、当該１シンクブロックが記録されるセグメントのセグメント番号を示すセグメントＩＤも含まれる。また、このＩＤに、２２６バイトのビデオデータ（またはＣ２パリティ）および１６バイトのＣ１パリティが続く。
【００６２】
図６ＢはオーディオデータＤａの積符号の構成例を示す図である。図５に示したＶＴＲフットプリントのオーディオシンク（Ｎ）には、テーブル「０」〜テーブル「２３」までの、２４個のＥＣＣブロック（符号化単位のデータ）が記録される。１個のＥＣＣブロックは、以下のように構成されている。すなわち、１８９バイト×８バイトのデータ配列からなるオーディオデータに対して、矢印ｂで示す外符号演算データ系列につき、各列のデータ（データ列）が例えば（１６，８）リードソロモン符号によって符号化され、８バイトのＣ２パリティ（外符号パリティ：ＯＵＴＥＲ）が生成される。
【００６３】
さらに、これらオーディオデータおよびＣ２パリティに対して、図６Ｂに示す矢印ａで示す内符号演算データ系列につき、各行のデータ（データ列）が例えば（２０５，１８９）リードソロモン符号によって符号化され、１６バイトのＣ１パリティ（内符号パリティ：ＩＮＮＥＲ）が生成される。また、各々のデータ行の先頭には、それぞれ２バイトの大きさを有するシンクデータおよびＩＤが配される。
【００６４】
図７Ａ〜Ｃは、１セグメントを構成する１２トラック内のビデオデータ領域ＡＲＶＬ，ＡＲＶＵにおける各ＥＣＣブロックの１シンクブロックの配置例（その１）を示す図である。図７Ａに示すように、１回目にスキャンされる「０〜３」の４トラックに関しては、ビデオデータ領域ＡＲＶＬには「０〜３５」のＥＣＣブロックにおける０Ｒｏｗ〜２０Ｒｏｗまでの２１Ｒｏｗのシンクブロックが記録され、ビデオデータ領域ＡＲＶＵには「０〜３５」のＥＣＣブロックにおける２１Ｒｏｗ〜４１Ｒｏｗまでの２１Ｒｏｗのシンクブロックが記録される。
【００６５】
また、２回目にスキャンされる「４〜７」の４トラックに関しては、ビデオデータ領域ＡＲＶＬには「０〜３５」のＥＣＣブロックにおける４２Ｒｏｗ〜６２Ｒｏｗまでの２１Ｒｏｗのシンクブロックが記録され、ビデオデータ領域ＡＲＶＵには０〜３５のＥＣＣブロックにおける６３Ｒｏｗ〜８３Ｒｏｗまでの２１Ｒｏｗのシンクブロックが記録される。
【００６６】
さらに、３回目にスキャンされる「８〜１１」の４トラックに関しては、ビデオデータ領域ＡＲＶＬには「０〜３５」のＥＣＣブロックにおける８４Ｒｏｗ〜１０４Ｒｏｗまでの２１Ｒｏｗのシンクブロックが記録され、ビデオデータ領域ＡＲＶＵには「０〜３５」のＥＣＣブロックにおける１０５Ｒｏｗ〜１２５Ｒｏｗまでの２１Ｒｏｗのシンクブロックが記録される。
【００６７】
ここで、０Ｒｏｗのシンクブロックは、「０〜３５」のＥＣＣブロックのそれぞれにおける０番目のシンクブロックから構成されており、これら３６個のシンクブロックは、図７Ｂに示すように、「０〜４」のトラックに、９シンクブロックずつ振り分けられて記録される。つまり、「０」のトラックには「０，１８，１，１９，２，２０，３，２１，４」のＥＣＣブロックにおける０番目のシンクブロックが記録され、「１」のトラックには「２２，５，２３，６，２４，７，２５，８，２６」のＥＣＣブロックにおける０番目のシンクブロックが記録され、「２」のトラックには「９，２７，１０，２８，１１，２９，１２，３０，１３」のＥＣＣブロックにおける０番目のシンクブロックが記録され、さらに「３」のトラックには「３１，１４，３２，１５，３３，１６，３４，１７，３５」のＥＣＣブロックにおける０番目のシンクブロックが記録される。
【００６８】
以下、同様に、１〜１２５Ｒｏｗのシンクブロックは、それぞれ「０〜３５」のＥＣＣブロックにおける１番目〜１２５番目のシンクブロックから構成されており、各３６個のシンクブロックは対応する４トラックに９シンクブロックずつ振り分けられて記録される。この場合、Ｒｏｗ毎に、４トラックのそれぞれに記録される９シンクブロックが取り出されるＥＣＣブロックがローテーションされる。なお、１シンクブロックは、図７Ｃに示すように、２バイトのシンクデータ、２バイトのＩＤ、２２６バイトのビデオデータ（またはＣ２パリティ）および１６バイトのＣ１パリティから構成されている。
【００６９】
ここで、「０〜１１」の１２トラックには、０Ｒｏｗ〜１２５Ｒｏｗのシンクブロックが順次記録される。この場合、０Ｒｏｗ〜１１３Ｒｏｗのシンクブロックは、内符号演算データ系列を構成するビデオデータのデータ列にＣ１パリティが付加されてなるものであるが、１１４Ｒｏｗ〜１２５Ｒｏｗのシンクブロックは、内符号演算データ系列を構成するＣ２パリティのデータ列にＣ１パリティが付加されてなるものである。
【００７０】
図８は、１セグメントを構成する１２トラックのビデオデータ領域ＡＲＶＬ，ＡＲＶＵにおける各ＥＣＣブロックの１シンクブロックの配置例（その２）を示す図である。この実施形態においては、１２トラックに「０〜３５」の３６個のＥＣＣブロックを記録する際に、図８に示すように、最初は内符号演算データ系列を構成するビデオデータのデータ列にＣ１パリティが付加されてなる第１のシンクブロックが順次記録され、この第１のシンクブロックの記録が終了した後に、内符号演算データ系列を構成するＣ２パリティのデータ列にＣ１パリティが付加されてなる第２のシンクブロックが順次記録される。
【００７１】
続いて、本発明に係る情報記録方法について当該ＶＴＲの記録時の動作例を説明する。
この実施形態では、２種類のシンク長が存在する記録フォーマットによりデジタル情報を磁気テープ８０に記録する場合を前提とする。また、磁気テープ８０に第１のシンク長ＭのビデオデータＤｖと当該記録長よりも短い第２のシンク長ＮのオーディオデータＤａとを記録する。これと共に、ビデオシンク（Ｍ）の記録部分とオーディオシンク（Ｎ）の記録部分との間に、当該デジタル情報の再生時の基準となるＣＴＬ信号を記録する場合を前提とする。
【００７２】
これらを動作条件にして、図１に示したＶＴＲ１００ではビデオカメラ等からビデオ入力端子１１０を介して入力した記録ビデオ信号ＶＳｉｎがビデオ圧縮回路１１に出力される。ビデオ圧縮回路１１では、記録ビデオ信号ＶＳｉｎを圧縮するようになされる。例えば、ビデオ圧縮回路１１は記録ビデオ信号ＶＳｉｎを８×８画素の二次元ブロックに分割し、ＤＣＴ等のブロック符号化を用いたデータ圧縮処理を行う。ビデオカメラ等からの記録オーディオ信号ＡＳｉｎはオーディオ入力端子１３０を介してパリティ付加回路２１へ出力される。パリティ付加回路２１では、圧縮処理後のビデオデータ（圧縮符号化データ）Ｄｖ及び、記録オーディオ信号ＡＳｉｎを入力し、この圧縮符号化データＤｖに対して、符号化単位毎に積符号を用いたエラー訂正符号化処理が行われると共に、記録オーディオ信号ＡＳｉｎに積符号を用いたエラー訂正符号化処理が行われる。
【００７３】
エラー訂正符号化処理後の圧縮符号化データＤｖ等はパリティ付加回路２１から記録手段４へ出力される。記録手段４では、磁気テープ８０に第１のシンク長Ｍのビデオデータと当該記録長よりも短い第２のシンク長Ｎのオーディオデータとを記録するようになされる。この記録手段４では、ビデオシンク（Ｍ）の記録部分とオーディオシンク（Ｎ）の記録部分との間に、当該デジタル情報の再生時の基準となるＣＴＬ信号を記録するようになされる。
【００７４】
例えば、記録回路４０ではパリティ付加回路２１から出力されるビデオデータ（エラー訂正符号化データ）ＶＤｂを増幅し、増幅後のエラー訂正符号化データＶＤｂがヘリカル記録ヘッド５０に出力される。ヘリカル記録ヘッド５０はエラー訂正符号化データＶＤｂを磁気テープ８０の記録トラックに順次記録するようになされる。
【００７５】
また、ＣＴＬ発生器６０ではエラー訂正符号化データＶＤｂの再生時の基準となるＣＴＬ信号を発生し、このＣＴＬ信号を変調してＣＴＬ記録ヘッド７０に出力する。ＣＴＬ記録ヘッド７０はＣＴＬ発生器６０から出力される変調後のＣＴＬ信号を磁気テープ８０に記録するようになされる。このとき、ＣＴＬ信号はビデオシンク（Ｍ）とオーディオシンク（Ｎ）との間に位置するようにサーボパイロットが記録される。
【００７６】
このように、本発明に係る実施形態としてのＶＴＲ及び情報記録方法によれば、２種類のシンク長が存在する記録フォーマットによりデジタル情報を記録する場合に、シンク長が長い部分（Ｍ）とシンク長が短い部分（Ｎ）の間にパイロット信号を配置するようになされる。
【００７７】
従って、デジタル情報再生時のＣ１訂正処理を行う際に、ビデオシンク（Ｍ）の記録部分とオーディオシンク（Ｎ）の記録部分との間のギャップ部分と、ＣＴＬ信号の記録部分とを信号処理スペースとして有効に利用することができる。
【００７８】
［情報再生装置］
図９は本発明に係る情報再生装置を応用したＶＴＲ１００の再生系の構成例を示すブロック図である。
この実施形態では、２種類のシンク長が存在する記録フォーマットを有した磁気テープ８０からデジタル情報を再生する場合に、ビデオシンク（Ｍ）の記録部分とオーディオシンク（Ｎ）の記録部分との間から、当該デジタル情報の再生時の基準となるＣＴＬ信号を再生して、ビデオシンク（Ｍ）の記録部分とオーディオシンク（Ｎ）の記録部分との間のギャップ部分と、ＣＴＬ信号の記録部分とをＣ１訂正処理等の誤り訂正処理を行う際に必要な信号処理スペースとして利用できるようにしたものである。
【００７９】
図１に示すＶＴＲ１００は、２種類のシンク長が存在する記録フォーマットを有した磁気テープ８０からデジタル情報を再生する装置である。ＶＴＲ１００は図１に示した情報記録装置と組み合わせて使用可能となされるものである。もちろん、ＶＴＲ１００を単独で再生専用機として利用してもよい。
【００８０】
このＶＴＲ１００は再生手段６、訂正処理手段８、オーディオ出力端子１８、ビデオ出力端子１９及びビデオ伸長回路９１を有している。再生手段６は、磁気テープ８０から、ＣＴＬ信号及び第１のシンク長ＭのビデオデータＤｖと当該記録長よりも短い第２のシンク長ＮのオーディオデータＤａとを読み出して再生される。ＣＴＬ信号はビデオデータ＋オーディオデータＤＶｃの再生時の基準となる信号であり、磁気テープ８０のビデオシンク（Ｍ）の記録部分とオーディオシンク（Ｎ）との間から読み出して再生するようになされる。
【００８１】
例えば、再生手段６はヘリカル再生ヘッド５５、等化復号回路５６、シンク検出器５７、ＣＴＬ再生ヘッド７５及びキャプスタンドラムサーボ７６を有している。ヘリカル再生ヘッド５５では磁気テープ８０の記録トラックからビデオデータ＋オーディオデータＶＤｃが読み取られて再生される。
【００８２】
ヘリカル再生ヘッド５５には等化復号回路５６が接続される。等化復号回路５６は図示しないが、再生アンプ、波形等化回路及び復号回路から構成される。再生手段６では、まず、記録トラックから読み取られたビデオデータ＋オーディオデータＶＤｃは再生アンプにより増幅される。その後、ビデオデータ＋オーディオデータＶＤｃは波形等化回路で波形等化される。更に、復号回路では波形等化後の再生信号に対して、例えばビタビアルゴリズムを利用した復号化の処理が行われ、図１に示した記録系のパリティ付加回路２１から出力される記録ビデオデータＶＤｂに対応したビデオデータＶＤｃが得られる。等化復号回路５６にはシンク検出器５７が接続され、再生されたビデオデータ＋オーディオデータＶＤｃから同期信号を検出するようになされる。
【００８３】
また、ＣＴＬ再生ヘッド７５では磁気テープ８０の記録トラックのサーボパイロットからＣＴＬ信号が再生される。ＣＴＬ信号は磁気テープ８０のビデオシンク（Ｍ）の記録部分とオーディオシンク（Ｎ）との間から読み出して再生するようになされる。ＣＴＬ再生ヘッド７５の出力段にはキャプスタンドラムサーボ７６が接続され、ＣＴＬ信号に基づいてキャプスタンドラムを駆動するようになされる。ＣＴＬ信号は、磁気テープ８０から再生ビデオデータＶＤｃを読み出して再生するときの基準となる。
【００８４】
上述のシンク検出器５７には訂正処理手段８が接続され、同期信号検出後のビデオデータ＋オーディオデータＶＤｃとを順次誤り訂正処理するようになされる。訂正処理手段８はＣ１訂正回路８１及びＣ２訂正回路８２から構成される。Ｃ１訂正回路８１では、例えば、ＥＣＣデコーダが使用される。Ｃ１訂正回路８１では、シンク検出器５７より出力される再生ビデオデータ＋再生オーディオデータＶＤｃのＣ１訂正処理が行われる。このＣ１訂正回路８１では、この再生ビデオデータ＋再生オーディオデータＶＤｃに付加されているパリティ（Ｃ１パリティ）を用いてＣ１訂正処理が行われる。
【００８５】
このＣ１訂正回路８１にはＣ２訂正回路８２が接続され、例えば、ＥＣＣデコーダが使用される。Ｃ２訂正回路８２では、Ｃ１訂正回路８１より出力される再生ビデオデータ＋再生オーディオデータＶＤｃのＣ２訂正処理が行われる。このＣ２訂正回路８２では、この再生ビデオデータ＋再生オーディオデータＶＤｃに付加されているパリティ（Ｃ２パリティ）を用いてＣ２訂正処理が行われる。Ｃ２訂正処理後の圧縮符号化データはビデオデータＤｖであり、再生オーディオ信号ＡＳｏｕｔである。このＣ２訂正回路８２より出力される再生オーディオ信号ＡＳｏｕｔは出力端子１８に出力される。
【００８６】
Ｃ２訂正回路８２にはビデオ伸張回路９１が接続され、このＣ２訂正回路８２より出力されるＣ２訂正処理後のビデオデータ（圧縮符号化データ）Ｄｖが図１に示した記録系のビデオ圧縮回路１１とは逆の処理によってデータ伸長が行われる。そして、このビデオ伸長回路９１より出力される再生ビデオ信号ＶＳｏｕｔは出力端子１９に出力される。
【００８７】
図１０は、Ｃ２訂正回路８２の内部構成例を示すブロック図である。図１０に示すＣ２訂正回路８２は、ＳＤＲＡＭ４１と、このＳＤＲＡＭ４１に対する書き込みおよび読み出しを行うためのインタフェースであるＳＤＲＡＭインタフェース４２とを有している。ＳＤＲＡＭ４１は、複数フィールドのビデオデータ＋オーディオデータを記憶し得る容量を持っている。この場合、ＳＤＲＡＭ４１には、各フィールドについて、３６個のＥＣＣブロック（図６参照）に対応したメモリ空間が用意されている。
【００８８】
このＳＤＲＡＭインタフェース４２には、入力書き込みバッファ４３が接続され、図９に示したＣ１訂正回路８１から供給される再生ビデオデータ（圧縮符号化データ）＋再生オーディオデータＶＤｃをＳＤＲＡＭ４１に書き込むためのバッファとなされる。ＳＤＲＡＭインタフェース４２には、ビデオ用のＣ２読み出しバッファ４４が接続され、ＳＤＲＡＭ４１から読み出される３６個のＥＣＣブロックに対応した再生ビデオデータＤｖを後述するビデオ用のＣ２訂正器４５に供給するためのバッファとなされる。
【００８９】
このＣ２読み出しバッファ４４には、Ｃ２訂正器４５が接続され、各フィールドについて、３６個のＥＣＣブロックにおけるＣ２パリティ（外符号パリティ）を演算するようになされる。Ｃ２訂正器４５は、Ｃ２パリティを演算する演算器を３６個有しており、上述した３６個のＥＣＣブロックにおけるＣ２パリティを並行して演算できるようになされる。そのため、Ｃ２読み出しバッファ４４からＣ２訂正器４５には、３６個のＥＣＣブロックに対応したビデオデータが並行して供給される。またその場合、各ＥＣＣブロックのビデオデータは、「０〜１１３」のシンクブロックのデータの順に供給される。
【００９０】
また、Ｃ２訂正器４５にはＣ２書き込みバッファ４６が接続され、各フィールドについて、Ｃ２訂正器４５で演算された３６個のＥＣＣブロックにおけるＣ２パリティをＳＤＲＡＭ４１に書き込むためのバッファとなされる。さらに、ＳＤＲＡＭインタフェース４２にはビデオ用の出力バッファ４１０が接続され、各フィールドについて、ＳＤＲＡＭ４１から読み出される、３６個のＥＣＣブロックに対応したビデオデータおよびＣ２パリティを出力するためのバッファとなされる。Ｃ２訂正処理後のビデオデータ（ビデオＣ２訂正器出力）Ｄｖはビデオ伸長回路９１へ出力される。
【００９１】
上述のＳＤＲＡＭインタフェース４２にはオーディオ用のＣ２読み出しバッファ４７が接続され、各フィールドについて、ＳＤＲＡＭ４１から読み出される、２４個のＥＣＣブロックに対応したオーディオデータＤａおよびＣ２パリティを出力するためのバッファとなされる。
【００９２】
また、オーディオ用のＣ２読み出しバッファ４７には、オーディオＣ２訂正器４８が接続され、各フィールドについて、２４個のＥＣＣブロックにおけるＣ２パリティ（外符号パリティ）を演算するようになされる。Ｃ２訂正器４８には出力バッファ４９が接続され、各フィールドについて、２４個のＥＣＣブロックに対応したオーディオデータＤａおよびＣ２パリティを出力するためのバッファとなされる。Ｃ２訂正処理後のオーディオＣ２訂正器出力は再生オーディオ信号ＡＳｏｕｔとなって出力端子１８へ出力される。
【００９３】
続いて、本発明に係る情報再生方法について当該ＶＴＲの再生時の動作例を説明する。
この実施形態では、２種類のシンク長が存在する記録フォーマットを有した磁気テープ８０からデジタル情報を再生する場合を前提とする。磁気テープ８０から、第１のシンク長のビデオデータと当該記録長よりも短い第２のシンク長のオーディオデータとを再生する。これと共に、ビデオシンク（Ｍ）の記録部分とオーディオシンク（Ｎ）の記録部分との間から、当該デジタル情報の再生時の基準となるＣＴＬ信号を再生するようになされる。
【００９４】
図１１Ａ及びＢは従来方式と本発明方式に関して、ビデオシンク（Ｍ）及びオーディオシンク（Ｎ）間のサーボパイロットによる信号処理スペース例を比較するタイムチャートである。図５に示したＶＴＲフォーマット例も参照する。
【００９５】
図１１Ａに示すタイムチャートにおいて、ビデオシンク（Ｍ）とオーディオシンク（Ｎ）との間のギャップをＧａｖとし、オーディオシンク（Ｎ）間のギャップをＧａａとし、サーボパイロット信号の走査幅（配置長さ）をＳＡＴとし、ビデオシンク（Ｍ）とサーボパイロット信号との間のギャップをＧｓ１とし、このサーボパイロット信号とオーディオシンク（Ｎ）の間のギャップをＧｓ２とすると、従来方式の前後のビデオシンク（Ｍ）間の総ギャップＧは、（１）式、すなわち、
Ｇ＝Ｇｖａ＋Ｇａａ＊６＋Ｇｓ１＋Ｇｓ２＋Ｇａｖ    ・・・・（１）
である。
但し、（１）式で、Ｌ（ライン）ギャップをＬｇａｐとすると、ギャップＧａｖは、
Ｇｖａ＞２＊（Ｍ−Ｎ）＋２＊（Ｐ１−Ｐ２）＋Ｌｇａｐ
である。
【００９６】
また、Ｃ１訂正処理にはシンク長に応じたディレーが必要となる。これはシンク長とそのＣ１パリティの長さに係数を掛けた形で表すことができる。実際には、Ｃ１訂正回路によってこの係数は異なるが、図１１Ａ及びＢに示す例ではシンク長とパリティに対する係数を両方を「２」としている。ここでＣ１訂正処理におけるＣ１パリティ計算に係るディレーをＰ１とし、Ｃ２訂正処理におけるＣ２パリティ計算に係るディレーをＰ２とし、ビデオデータのシンク長をＭとし、オーディオデータのシンク長をＮとしたとき、ビデオテープ編集時に必要なギャップをＧｅとすると、（２）式、すなわち、
Ｇｅ＝Ｇｅ＊１０＋（Ｍ−Ｎ）＋２＊（Ｐ１−Ｐ２）＋２・・・（２）
である。
【００９７】
これに対して、Ｃ１訂正処理を行う際に必要なビデオシンク（Ｍ）−オーディオシンク（Ｎ）間の信号処理スペースがサーボパイロット信号の長さより短く設定してもよいのなら、本発明方式を適用した場合の前後のビデオシンク（Ｍ）間の総ギャップＧ’は、（３）式、すなわち、
Ｇ’＝Ｇｓ１＋Ｇｓ２＋Ｇａａ＊７＋Ｇａｖ＝Ｇｅ＊１０・・・・（３）
となる。
但し、（３）式で、ギャップＧａｖに相当するギャップＧｓ１＋ＳＡＴ＋Ｇｓ２は、
Ｇｓ１＋ＳＡＴ＋Ｇｓ２＞２＊（Ｍ−Ｎ）＋２＊（Ｐ１−Ｐ２）＊Ｌｇａｐである。
【００９８】
ここで（２）式と（３）式を比べてみると、本発明方式に係るテープ編集時に必要なギャップＧｅ’を従来方式に比べて短くしてもよいことがわかる。
これを前提にして、ＶＴＲ１００における再生時の動作例を説明する。まず、ヘリカル再生ヘッド５５は、所定のクロック周波数の信号に基づいて磁気テープ８０の記録トラックから第１のシンク長の再生ビデオデータ＋第２のシンク長のオーディオデータＶＤｃを順次読み取るようになされる。また、磁気テープ８０の記録トラックのサーボパイロットからサーボ制御信号（ＣＴＬ信号）が再生される。このＣＴＬ信号に基づいてキャプスタンドラムを駆動するようになされる。
【００９９】
この再生ビデオデータ＋オーディオデータＶＤｃは、順次、ヘリカル再生ヘッド５５から信号処理手段５へ出力される。信号処理手段５では例えば、等化復号器５６によって、第１のシンク長のビデオデータ＋第２のシンク長のオーディオデータ（再生データ）ＶＤｃが、図示しない再生アンプにより増幅される。その後、再生データＶＤｃは波形等化回路で波形等化される。更に、復号回路では波形等化後の再生信号に対して、例えばビタビアルゴリズムを利用した復号化の処理が行われ、上述した記録系のパリティ付加回路２１から出力される記録ビデオデータＶＤｂに対応した再生データＶＤｃが得られる。
【０１００】
この再生データＶＤｃは等化復号器５６からシンク検出器５７へ出力される。シンク検出器５７では同期信号が検出される。同期信号が検出された再生データＶＤｃは、シンク検出器５７からＣ１訂正回路８１へ出力される。Ｃ１訂正回路８２では当該フレームのビデオデータ＋オーディオデータＶＤｃに付加されているＣ１パリティを用いてエラー訂正が行われる。
【０１０１】
このとき、オーディオシンク（Ｎ）がＣ１訂正処理を行う際に必要なビデオシンク（Ｍ）−オーディオシンク（Ｎ）間の信号処理スペースより長ければ、ギャップＧはゼロであってもかまわないことになる。本発明方式では、ビデオシンク（Ｍ）の記録部分とオーディオシンク（Ｎ）の記録部分との間にサーボパイロットが配置され、この位置から、当該デジタル情報の再生時の基準となるＣＴＬ信号が再生されるので、従来方式に比べて上述した（２）及び（３）式により、ビデオシンク（Ｍ）の誤り訂正処理が終了する前に、当該記録長よりも短いオーディオシンク（Ｎ）の誤り訂正処理が開始されたり、そのデータ処理が混入する事態が避けられる。
【０１０２】
そして、Ｃ２訂正回路８２では、当該フレームのビデオデータ＋オーディオデータＶＤｃに付加されているＣ２パリティを用いてエラー訂正が行われる。エラー訂正後の圧縮符号化データにはビデオデータＤｖ及びオーディオデータＤａが含まれ、オーディオデータＤａは再生オーディオ信号ＡＳｏｕｔとなる。再生オーディオ信号ＡＳｏｕｔはオーディオ出力端子１８に出力される。
【０１０３】
このビデオデータＤｖはＣ２訂正回路８２からビデオ伸長回路９１へ出力される。ビデオ伸長回路９１では、エラー訂正回路８２より出力されるエラー訂正後のビデオデータ（圧縮符号化データ）Ｄｖが記録系のビデオ圧縮回路１１とは逆の処理によってデータ伸長が行われる。そして、このビデオ伸長回路９１より出力される再生ビデオ信号ＶＳｏｕｔは出力端子１９に出力される。
【０１０４】
このように、本発明に係る実施形態としてのＶＴＲ１００及び情報再生方法によれば、２種類のシンク長が存在するＶＴＲフォーマットにおいて、磁気テープ８０からビデオシンク（Ｍ）及びオーディオシンク（Ｎ）を再生する場合に、図１１Ｂに示したビデオシンク（Ｍ）とオーディオシンク（Ｎ）との間に位置するサーボパイロットからＣＴＬ信号を再生するようになされる。
【０１０５】
従って、Ｃ１訂正処理等の誤り訂正処理を行う際に、ビデオシンク（Ｍ）の記録部分とオーディオシンク（Ｎ）の記録部分との間のギャップ部分と、ＣＴＬ信号の記録部分とを信号処理スペースとして有効に利用することができる。これにより、ビデオシンク（Ｍ）の誤り訂正処理が終了する前に、当該記録長よりも短いオーディオシンク（Ｎ）の誤り訂正処理が開始されてデータ処理が混入する事態を防止できる。この結果、磁気テープ８０で限られた有効トラック長に対して波長を最大限に長くすることができる。
【０１０６】
【発明の効果】
以上説明したように、本発明に係る情報記録装置及び情報記録方法によれば、２種類の情報記録長が存在する記録フォーマットによりデジタル情報を記録する記録手段を備え、この記録手段は、第１の情報記録長のデジタル情報と当該記録長よりも短い第２の情報記録長のデジタル情報とを情報記録媒体に記録すると共に、第１の情報記録長のデジタル情報の記録部分と当該記録長よりも短い第２の情報記録長のデジタル情報との間に、当該デジタル情報の再生時の基準となるサーボ制御信号を記録するようになされる。
【０１０７】
この構成によって、第１の情報記録長のデジタル情報と当該記録長よりも短い第２の情報記録長のデジタル情報との間のギャップ部分と、サーボ制御信号の記録部分とをデジタル情報再生時のＣ１訂正処理等の誤り訂正処理を行う際に必要な信号処理スペースとして利用することができる。
【０１０８】
本発明に係る情報再生装置及び情報再生方法によれば、２種類の情報記録長が存在する記録フォーマットを有した情報記録媒体からデジタル情報を再生する場合に、情報記録媒体から、第１の情報記録長のデジタル情報と当該記録長よりも短い第２の情報記録長のデジタル情報とを再生する再生手段を備え、この再生手段は、第１の情報記録長のデジタル情報の記録部分と第２の情報記録長のデジタル情報の記録部分との間から、当該デジタル情報の再生時の基準となるサーボ制御信号を再生するようになされる。
【０１０９】
この構成によって、第１の情報記録長のデジタル情報の記録部分と第２の情報記録長のデジタル情報の記録部分との間のギャップ部分と、サーボ制御信号の記録部分とをＣ１訂正処理等の誤り訂正処理を行う際に必要な信号処理スペースとして利用することができる。これにより、第１の情報記録長のデジタル情報の誤り訂正処理が終了する前に、当該記録長よりも短い第２の情報記録長のデジタル情報の誤り訂正処理が開始されて情報処理が混入する事態を防止できる。
【０１１０】
本発明に係る情報記録媒体によれば、２種類の情報記録長が存在する記録フォーマットによりデジタル情報が記録される場合に、第１の情報記録長のデジタル情報の記録部分と当該記録長よりも短い第２の情報記録長のデジタル情報の記録部分との間に、当該デジタル情報の再生時の基準となるサーボ制御信号を記録するようになされる。
【０１１１】
この構成によって、第１の情報記録長のデジタル情報の記録部分と第２の情報記録長のデジタル情報の記録部分との間のギャップ部分と、サーボ制御信号の記録部分とをＣ１訂正処理等の誤り訂正処理を行う際に必要な信号処理スペースとして利用することができる。これにより、第１の情報記録長のデジタル情報の誤り訂正処理が終了する前に、当該記録長よりも短い第２の情報記録長のデジタル情報の誤り訂正処理が開始されて情報処理が混入する事態を防止できる。しかも、情報記録媒体において限られた有効トラック長に対して波長を最大限に長くすることができる。
【０１１２】
この発明は、テープ記録媒体からデジタル情報を再生する家庭用及び業務用のビデオ記録再生装置に適用して極めて好適である。
【図面の簡単な説明】
【図１】本発明に係る実施形態としての情報記録装置を応用したＶＴＲ１００の記録系の構成例を示すブロック図である。
【図２】パリティ付加回路２１の内部構成例を示すブロック図である。
【図３】図１に示したＶＴＲ１００に係る回転ドラム１４０の構成例を示す概念図である。
【図４】磁気テープ８０における記録フォーマット例を示す図である。
【図５】ビデオシンク（Ｍ）及びオーディオシンク（Ｎ）混在のＶＴＲフォーマット（フットプリント）例を示す図である。
【図６】Ａ及びＢはビデオデータ及びオーディオデータの積符号に係るＥＣＣブロックの１シンクブロックの構成例を示す図である。
【図７】Ａ〜Ｃは１セグメントを構成する１２トラック内のビデオデータ領域ＡＲＶＬ，ＡＲＶＵにおける各ＥＣＣブロックの１シンクブロックの配置例（その１）を示す図である。
【図８】１セグメントを構成する１２トラックのビデオデータ領域ＡＲＶＬ，ＡＲＶＵにおける各ＥＣＣブロックの１シンクブロックの配置例（その２）を示す図である。
【図９】本発明に係る情報再生装置を応用したＶＴＲ１００の再生系の構成例を示すブロック図である。
【図１０】Ｃ２訂正回路８２の内部構成例を示すブロック図である。
【図１１】Ａ及びＢは従来方式と本発明方式に関して、ビデオシンク（Ｍ）及びオーディオシンク（Ｎ）間のサーボパイロットによる信号処理スペース例を比較するタイムチャートである。
【図１２】従来例に係るビデオシンク（Ｍ）及びオーディオシンク（Ｎ）混在のＶＴＲフォーマット（フットプリント）例を示す図である。
【図１３】Ａ及びＢはＣ１訂正回路のＭＮ切換え例を示すタイミングチャートである。
【符号の説明】
４・・・記録手段、６・・・再生手段、８・・・訂正処理手段、１１・・・ビデオ圧縮回路、２１・・・パリティ付加回路、５０・・・ヘリカル記録ヘッド、５５・・・ヘリカル再生ヘッド、５６・・・等化復号回路、５７・・・シンク検出器、８１・・・Ｃ１訂正回路、８２・・・Ｃ２訂正回路、９１・・・ビデオ伸長回路、１００・・・ＶＴＲ（情報記録装置；情報再生装置）
【図１】
2004312230.tif 000003
【図２】
2004312230.tif 000004
【図３】
2004312230.tif 000005
【図４】
2004312230.tif 000006
【図５】
2004312230.tif 000007
【図６】
2004312230.tif 000008
【図７】
2004312230.tif 000009
【図８】
2004312230.tif 000010
【図９】
2004312230.tif 000011
【図１０】
2004312230.tif 000012
【図１１】
2004312230.tif 000013
【図１２】
2004312230.tif 000014
【図１３】
2004312230.tif 000015